(57)【要約】【課題】気密性の高いコンパクトを提案する。【解決手段】化粧料を充填したドラムを備える容器本体と、この容器本体に揺動可能に保持される蓋体と容器本体又は蓋体の少なくとも何れか一方に配置され該ドラム内を気密状態に保持するシール部材とを備えたコンパクトにおいて、前記蓋体の裏面に、ドラムに対し上下方向又は径方向に合わさってシール部材と協働してその内部を気密状態に保持する中蓋と、この中蓋を蓋体の裏面でその面に沿ってスライド可能に弾性保持し該中蓋のドラムに対する相対位置を常に一定に維持する位置決め部材を配置する。【選択図】　　　　図１
2004141571.tif 000002
【特許請求の範囲】
【請求項１】
化粧料を充填したドラムを備える容器本体と、この容器本体に揺動可能に保持される蓋体と、容器本体又は蓋体の少なくとも何れか一方に配置され該ドラム内を気密状態に保持するシール部材とを備えたコンパクトであって、前記蓋体の裏面に、ドラムに対し上下方向または径方向に合わさりシール部材と協働してその内部を気密状態に保持する中蓋と、この中蓋を蓋体の裏面でその面に沿ってスライド可能に弾性保持し該中蓋のドラムに対する相対位置を常に一定に維持する位置決め部材を配置してなる、ことを特徴とする気密コンパクト。
【請求項２】
位置決め部材が片持ち支持になるアーム状の弾性体または両端支持になるアーチ状の弾性体である請求項１記載の気密コンパクト。
【請求項３】
シール部材がゴムあるいはエラストマーである請求項１または２記載の気密コンパクト。
【請求項４】
蓋体と中蓋との相互間に、該中蓋を蓋体より離反する向きに押し出し、蓋体の裏面に向けた外力及び蓋体の裏面に沿った外力に対して該中蓋にクッション性を付与する弾性部材を配置する請求項１〜３の何れかに記載の気密コンパクト。
【請求項５】
弾性部材が、ゴムあるいはエラストマーである請求項４記載の気密コンパクト。
【発明の詳細な説明】
【０００１】
【発明の属する技術分野】
本発明は、ファンデーションやアイシャドー等の化粧料を収納するコンパクトに関し、該コンパクトの気密性の改善を図ろうとするものである。
【０００２】
【従来の技術】
揮発成分を含んだファンデーションやアイシャドー等の化粧料はその揮散が避けられないので、それを収納するコンパクトは気密性の高いものが使用されている。
【０００３】
従来、この種のコンパクトは、コンパクトの蓋体に弾力性のあるパッキンを配置し、蓋体を閉じた時に該パッキンが該蓋体とコンパクトの本体部分の間で挟み込ませることでコンパクトの気密性を高めるようにしていた。
【０００４】
ところで、かかるコンパクトは、蓋体は普通その本体部分に枢支ピンを介して揺動可能に保持されているため蓋体と本体部分との間にガタつきがあり蓋体を閉じた時にパッキンが本体部分との間でずれて挟持されることもあって、コンパクト内を気密状態に維持できない場合があった。
【０００５】
このような不具合を解決するものとしては、コンパクトの蓋体の内面にパッキンを摺動自在に組み込み、蓋体を閉じる際にパッキンを摺動させコンパクトの凹所内に嵌合させて気密性を保持するコンパクト容器が提案されている（例えば、特許文献１参照）。
【０００６】
【特許文献１】
実公平７−１０６５７号公報。
【０００７】
しかしながら、上記公報に開示のコンパクトは、パッキンがコンパクトの前後方向にしか摺動しないため凹所とパッキンとの間で左右方向に位置ずれがあるとそれに対応できず、その場合、パッキンの不定変形等によりシールが不完全となってしまうことも懸念され、未だ改善の余地が残されていた。
【０００８】
【発明が解決しようとする課題】
本発明の課題は、コンパクトに収納された化粧料の揮散を長期にわたって確実に防止できる気密性の高いコンパクトを提案するところにある。
【０００９】
【課題を解決するための手段】
本発明は、化粧料を充填したドラムを備える容器本体と、この容器本体に揺動可能に保持される蓋体と、容器本体又は蓋体の少なくとも何れか一方に配置され該ドラム内を気密状態に保持するシール部材とを備えたコンパクトであって、
前記蓋体の裏面に、ドラムに対し上下方向又は径方向に合わさってシール部材と協働してその内部を気密状態に保持する中蓋と、この中蓋を蓋体の裏面に沿ってスライド可能に弾性保持し該中蓋のドラムに対する相対位置を常に一定に維持する位置決め部材を配置してなる、ことを特徴とする気密コンパクトである。
【００１０】
上記の構成になるコンパクトにおいて、位置決め部材は片持ち支持になるアーム状の弾性体または両端支持になるアーチ状の弾性体が有利に適合する。
【００１１】
シール部材はゴムあるいはエラストマーが適用できる。
【００１２】
蓋体と中蓋との相互間には、該中蓋を蓋体より離反する向きに押し出し、蓋体の裏面に向けた外力及び蓋体の裏面に沿った外力に対して該中蓋にクッション性を付与する弾性部材を配置するのが望ましい。
【００１３】
弾性部材については、ゴムあるいはエラストマーを用いることができる。
【００１４】
【発明の実施の形態】
以下、図面を用いて本発明をより具体的に説明する。
【００１５】
図１〜５は本発明の実施の形態を化粧料とパフ入れ凹部とを横並びで配置した並列タイプのコンパクトとして示したものであり、図１はその正面を断面で示した図あり、図２、図３はその平面を示した図であり、図４、図５はその側面を断面で示した図である。
【００１６】
図１〜５において１は容器本体、２は化粧料を充填したドラム、３は容器本体１内に配置される中枠であって、この中枠３はドラム２を容器本体１内に着脱自在に保持する開口３ａとパフ等の塗布具を収納する凹部３ｂを形成する。
【００１７】
また、４は容器本体１に枢支ピンｐを介して揺動可能に保持される蓋体、５は容器本体１に設けられ蓋体４を容器本体１に係止するスライドフック、６は蓋体４の裏面に固定された鏡、７は蓋体４の裏面に配置された中蓋、８は蓋体４に一体に設けられ、中蓋７の蓋体４からの脱落を防止する係止片である。
【００１８】
中蓋７はその下面にドラム２の縁部２ａに接触するシール部材７ａを有しており、ドラム２は中蓋７に合わさることで内部を気密状態に保持するようになっている。
【００１９】
さらに、９は中蓋７を蓋体４の裏面で全周方向スライド可能に弾性保持し該中蓋７のドラム２に対する相対位置を常に一定に維持する位置決め部材、１０はスライドフック５を解除したときに蓋体４を極僅かに持ち上げるための弾性体である。
【００２０】
位置決め部材９は中蓋７の背面に設けることができるもので、ここでは一端９ａが中蓋７と一体的に連結した片持ち支持になる３本のアーム状の弾性体（スプリング）を設けたものを例として示してある。
【００２１】
図６（ａ）（ｂ）に中蓋７の背面と断面を示す。
【００２２】
位置決め部材９の他端９ｂは蓋体４の環状壁４ａに接触するようになっており、該中蓋７にはその中心Ｏ（図３参照）に向かう弾性力が作用し蓋体４の傾き度合いの変化にかかわりなく一定の場所に位置決めされる。
【００２３】
これにより、中蓋７のドラム２に対する相対位置は常に一定に維持され、蓋体４を閉じた時、ドラム２の縁部２ａの全域にシール部材７ａが均一に接触してその内部は気密状態に維持される。
【００２４】
図７（ａ）（ｂ）は位置決め部材９として中蓋７と一体になるアーチ状の弾性体を設けた他の例を示したものであり、このような位置決め部材９を図８（ａ）（ｂ）に示すように蓋体４に設置しても、上掲図１〜６に示したものと同様の効果が期待できる。なお、上述の２つの実施の形態では、何れも位置決め部材９を中蓋７に対して一体に設けた場合を例として示したが、これを蓋体４の裏面に垂下する環状壁４ａに一体連結して中蓋７の内壁に当接させるようにしてもよい。
【００２５】
図９は本発明のさらに他の実施の形態をその要部について示したものである。図における１１は中蓋７の下面に配置したシール部材７ａに代えてドラム２にインサート成形や接着によって設けられたシール部材、１２は中蓋７と蓋体４の相互間に設けられた弾性部材である。なお、この例では、シール部材１１の配置箇所を中蓋７からドラム２へ変更したことに伴い、中蓋７のシール部材１１当接箇所には２条の突条を周設してある。
【００２６】
弾性部材１２は縦方向中央部がくびれた略８の字状になっており、中蓋７の背面で全周にわたって、あるいはその周りに等間隔で複数個設けられており、中蓋７を蓋体４より離反する向きに押し出し、蓋体４の裏側に向けた外力に対して該中蓋７にクッション性を付与するものであり、これにより、中蓋７をシール部材１１に強く接触させることが可能となり、気密状態をより一層高めることが可能となる。
【００２７】
また、弾性部材１２の端部１２ａ、１２ｂをそれぞれ中蓋７及び蓋体４に接着、融着または係合等により固定することで該弾性部材１２はその弾性力により中蓋７を常に一定の箇所に保持するように作用させることができ、位置決め部材９と合わせて中蓋７の位置決めがより強化される。
【００２８】
シール部材７ａ、１１や弾性部材１２はゴムやエラストマーを適用するが本発明はこれにのみ限定されるものでなく、その材質は適宜に変更される。さらには、シール部材の配置箇所についても、前述の中蓋７の下面あるいはドラム２の一方に配置する場合に限られるわけではなく、その両方に配置することも可能である。
【００２９】
また、本発明の実施の形態として上掲図１〜５では、並列タイプのコンパクトを例として示したが、本発明では、図１０〜１２に示すような直列タイプのコンパクトにも適用できるのはいうまでもない。
【００３０】
【発明の効果】
本発明によれば、蓋体を閉じたとき気密保持用の中蓋が常にその中心に動くことになり、ドラムの周りにシール部材が均一に合わさるのでその内部は常に気密に保たれる。
【図面の簡単な説明】
【図１】本発明の実施の形態を示した図である。
【図２】図１の平面を示した図である。
【図３】図１の平面を示した図である。
【図４】図１の側面を示した図である。
【図５】図１の側面を示した図である。
【図６】（ａ）（ｂ）は中蓋の背面と断面を示した図である。
【図７】（ａ）（ｂ）は中蓋の他の例を示した図である。
【図８】（ａ）（ｂ）は本発明の他の実施の形態を示した図である。
【図９】本発明のさらに他の実施の形態を要部について示した図である。
【図１０】本発明の他の実施の形態を示した図である。
【図１１】図１０の平面を示した図である。
【図１２】図１０の平面を示した図である。
【符号の説明】
１　容器本体
２　ドラム
３　中枠
３ａ　開口
３ｂ　凹部
４　蓋体
５　スライドフック
６　鏡
７　中蓋
７ａ　シール部材
８　係止片
９　位置決め部材
１０　弾性体
１１　シール部材
１２　弾性部材
ｐ　枢支ピン
【図１】
2004141571.tif 000003
【図２】
2004141571.tif 000004
【図３】
2004141571.tif 000005
【図４】
2004141571.tif 000006
【図５】
2004141571.tif 000007
【図６】
2004141571.tif 000008
【図７】
2004141571.tif 000009
【図８】
2004141571.tif 000010
【図９】
2004141571.tif 000011
【図１０】
2004141571.tif 000012
【図１１】
2004141571.tif 000013
【図１２】
2004141571.tif 000014